(57)【要約】【課題】効率的に建物の排熱と換気ができることを目的とする。【解決手段】室内１に換気ダクト２を介して室外の空気を導入する換気装置４と、換気装置４を制御するコントローラ５に室内１の温度である室内温度を検知する室内温度検知手段６と、室外の温度である室外温度を検知する室外温度検知手段７とを備え、室内温度と室外温度の値により運転モードとして冬期モードあるいは中間期・夏期モードあるいは排熱モードを決定し、冬期モードでは弱運転をし、中間期・夏期モードでは中運転をし、排熱モードでは強運転とした構成にし、温度検知手段で検知した室内温度と室外温度の値によりコントローラ５で換気装置４の換気風量を決定し室内１の隙間面積に関係なく一定量の外気を室内１に導入するので、効率的に建物の排熱と換気ができる排熱システム装置を得られる。【選択図】図１
2014181853.tif 000002
【特許請求の範囲】
【請求項１】
室内に換気ダクトを介して室外の空気を導入する換気装置と、前記換気装置を制御するコントローラと、前記コントローラに前記室内の温度である室内温度を検知する室内温度検知手段と、前記室外の温度である室外温度を検知する室外温度検知手段とを備え、前記室内温度と前記室外温度の値により運転モードとして冬期モードあるいは中間期・夏期モードあるいは排熱モードを決定し、前記冬期モードでは弱運転をし、前記中間期・夏期モードでは中運転をし、前記排熱モードでは強運転としたことを特徴とする排熱システム装置。
【請求項２】
換気装置から外気を導入する給気の風路である給気風路を複数設けたことを特徴とする請求項１に記載の排熱システム装置。
【請求項３】
運転モードとしてあらかじめ設定した室外温度により冬期モードあるいは中間期・夏期モードとに切り替え、あらかじめ設定した設定室内温度と室内温度検知手段および室外温度検知手段により計測された室内温度と室外温度から演算される室内外温度差により中間期・夏期モードと排熱モードを切り替えることを特徴とする請求項１に記載の排熱システム装置。
【請求項４】
運転モードを選択する設定室外温度あるいは設定室内温度あるいは設定室内外温度差の設定をコントローラで変更できることを特徴とする請求項３に記載の排熱システム装置。
【請求項５】
室外温度検知手段を屋外近傍の換気ダクトの内部に設けたことを特徴とする請求項１に記載の排熱システム装置。
【請求項６】
コントローラに換気装置の運転の切りや入りの時間を設定できるタイマーを設けたことを特徴とする請求項１または４に記載の排熱システム装置。
【発明の詳細な説明】
【技術分野】
【０００１】
本発明は、住宅および比較的小規模な建築物に使用され、室内外温度を検知しその温度により排熱、換気を行う排熱システムに関するものである。
【背景技術】
【０００２】
従来、この種の排熱システム装置は、住宅の最上階に換気装置を設置し、各部屋に設けた吸込み口を換気装置と連通させ室外に空気を排気するものが知られている（例えば、特許文献１参照）。
【０００３】
以下、その排熱システム装置について図５を参照しながら説明する。
【０００４】
図５に示すように、住宅の最上階の廊下１０１の天井裏に換気装置１０２を設置し、外壁１０３に換気装置１０２と連通する吹き出し口１０４を設け、居室１０５、１０６、１０７に換気装置１０２と連通する吸込み口１０８、１０９、１１０、１１１と自然給気口１１２、１１３、１１４、１１５を設け、換気装置１０２の下面に下方吸込み口１１６と電動ダンパー１１７を設け、通常は電動ダンパー１１７を閉じて通常風量換気を行い、急速に換気をする必要がある場合に電動ダンパー１１７を開いて大風量換気を行う構成のものが知られていた。
【先行技術文献】
【特許文献】
【０００５】
【特許文献１】特開２００７−２４４０７号公報
【発明の概要】
【発明が解決しようとする課題】
【０００６】
このような従来の排熱システム装置においては、室内にこもった熱気を排気し自然給気口から室温より低い外気を導入することにより排熱効果を得るが、排気による排熱では自然給気口等の室外壁に面した隙間面積よりドアのアンダーカット等の室内壁の隙間面積の方が大きいため温度の高い廊下や他の部屋の空気が多く導入され、室外からの給気が少ないため効率の良い排熱ができないという課題を有していた。
【０００７】
そこで本発明は、上記従来の課題を解決するものであり、効率的に建物の排熱ができる排熱システム装置を提供することを目的とする。
【課題を解決するための手段】
【０００８】
そして、この目的を達成するために、本発明は、室内に換気ダクトを介して室外の空気を導入する換気装置と、前記換気装置を制御するコントローラと、前記コントローラに前記室内の温度である室内温度を検知する室内温度検知手段と、前記室外の温度である室外温度を検知する室外温度検知手段とを備え、前記室内温度と前記室外温度の値により運転モードとして冬期モードあるいは中間期・夏期モードあるいは排熱モードを決定し、前記冬期モードでは弱運転をし、前記中間期・夏期モードでは中運転をし、前記排熱モードでは強運転としたこととしたものであり、これにより所期の目的を達成するものである。
【発明の効果】
【０００９】
本発明によれば、室内に換気ダクトを介して室外の空気を導入する換気装置と、前記換気装置を制御するコントローラと、前記コントローラに前記室内の温度である室内温度を検知する室内温度検知手段と、前記室外の温度である室外温度を検知する室外温度検知手段とを備え、前記室内温度と前記室外温度の値により運転モードとして冬期モードあるいは中間期・夏期モードあるいは排熱モードを決定し、前記冬期モードでは弱運転をし、前記中間期・夏期モードでは中運転をし、前記排熱モードでは強運転としたという構成にしたことにより、温度検知手段で検知した室内温度と室外温度の値によりコントローラで換気装置の換気風量を決定し室内の隙間面積に関係なく一定量の外気を室内に導入することになるので、効率的に建物の排熱ができる、という効果を得ることができる。
【図面の簡単な説明】
【００１０】
【図１】本発明の実施の形態１の排熱システム装置の設置状態を示す側面図
【図２】同排熱システム装置の吹き出しグリルを示す側面構成図
【図３】本発明の実施の形態２の排熱システム装置の動作を示すフローチャート
【図４】従来の排熱システム装置の設置状態を示す平面図
【図５】同排熱システム装置の換気装置周辺の構成を示す側面図
【発明を実施するための形態】
【００１１】
本発明の請求項１記載の排熱システム装置は、室内に換気ダクトを介して室外の空気を導入する換気装置と、前記換気装置を制御するコントローラと、前記コントローラに前記室内の温度である室内温度を検知する室内温度検知手段と、前記室外の温度である室外温度を検知する室外温度検知手段とを備え、前記室内温度と前記室外温度の値により運転モードとして冬期モードあるいは中間期・夏期モードあるいは排熱モードを決定し、前記冬期モードでは弱運転をし、前記中間期・夏期モードでは中運転をし、前記排熱モードでは強運転するという構成を有する。
【００１２】
これにより、温度検知手段で検知した室内温度と室外温度の値によりコントローラで換気装置の換気風量を決定し室内の隙間面積に関係なく一定量の外気を室内に導入することとなるので、効率的に建物の排熱と換気ができるという効果を奏する。
【００１３】
また、換気装置から外気を導入する給気の風路である給気風路を複数設けたという構成にしてもよい。
【００１４】
これにより、複数の給気経路より複数の部屋に外気が導入されることとなるので、複数の部屋に別途換気装置を設置することなく効率の良い排熱をすることができるという効果を奏する。
【００１５】
また、運転モードとしてあらかじめ設定した設定室外温度により冬期モードあるいは中間期・夏期モードとに切り替え、あらかじめ設定した設定室内温度と前記室内温度検知手段および前記室外温度検知手段により計測された室内温度と室外温度から演算される室内外温度差により中間期・夏期モードと排熱モードを切り替えるという構成にしてもよい。
【００１６】
これにより、設定室外温度より低い場合は冬期、高い場合は中間期・夏期と判断し、室内温度が設定室内温度より高くかつ室内温度から室外温度を引き算した室内外温度差が設定室内外温度差より大きい場合は排熱モードで運転することとなるので、自動で運転モードを選択し最適な排熱をすることができるという効果を奏する。
【００１７】
また、運転モードを選択する設定室外温度あるいは設定室内温度あるいは設定室内外温度差の設定をコントローラで変更できるという構成にしてもよい。
【００１８】
これにより、コントローラで運転モードの切り替えを選定する設定室外温度あるいは設定室内温度あるいは設定室内外温度差の設定を変更できることとなるので、地域、温度設定の好みにより運転モードの切り替えタイミングを変更し効率の良い排熱をすることができるという効果を奏する。
【００１９】
また、室外温度検知手段を屋外近傍の換気ダクトの内部に設けた構成にしてもよい。
【００２０】
これにより、室外温度検知手段は屋外近傍のダクト内に設置され、換気装置が導入する外気の温度を日光や風雨等の天候状態に影響されることなく検知することとなるので、建物の設置状況や天候状況に影響されることなく室外温度を計測できるとともに建物構造に左右されずに室外温度検知手段を簡単に設置することができるという効果を奏する。
【００２１】
また、コントローラに換気装置の運転の切りや入りの時間を設定できるタイマーを設けた構成にしてもよい。
【００２２】
これにより、コントローラに運転切と運転入の時間を設定するとその時間には強制的に運転の入りや切り（停止）をすることとなるので、就寝時等の換気装置の騒音が気になる場合は強制的に換気装置の運転を自動停止することができ不快感を低減することができるという効果を奏する。
【００２３】
以下、本発明の実施の形態について図面を参照しながら説明する。
【００２４】
（実施の形態１）
図１および図２に示すように、室内１の天井裏に換気ダクト２を設け、その換気ダクト２に接続された吹き出しグリル３を介して室外の空気を導入する換気装置４と、換気装置４のＯＮ／ＯＦＦおよび風量を制御するコントローラ５と、そのコントローラ５に室内１の温度である室内温度を検知する室内温度検知手段６（例えばサーミスター）と、室外の温度である室外温度を検知する室外温度検知手段７とを備え、室内温度と室外温度の値により運転モードとして冬期モードあるいは中間期・夏期モードあるいは排熱モードを決定し、冬期モードでは弱運転（例えば、換気回数０．３回／ｈ）をし、中間期・夏期モードでは中運転（例えば、換気回数０．５回／ｈ）をし、排熱モードでは強運転（例えば、換気回数２回／ｈ）するという構成を有する。
【００２５】
また、換気装置４から外気を導入する給気の風路である給気風路を複数設けたという構成にしてもよい。
【００２６】
また、換気装置４のモーターとしては、回転数制御ができるＤＣモーターを使用しても良い。
【００２７】
また、ＤＣモーターを制御する制御基板に排熱、換気する床面積に応じて強、中、弱運転の設定風量を変更できるスイッチを設けておくと良い。
【００２８】
また、換気ダクト２は断熱、消音性の高いダクトを使用することが望ましい。
【００２９】
また、吹き出しグリル３は吹き出し開口部分８に風量調整板９を有するものを使用しても良い。
【００３０】
また、吹き出しグリル３の吹き出し部分に可動式ルーバー１０を設けたものを使用しても良い。
【００３１】
また、室外温度検知手段７を屋外近傍の換気ダクト２の内部に設けた構成にしても良い。
【００３２】
このような構成によれば、温度検知手段で検知した室内温度と室外温度の値によりコントローラ５で換気装置４の換気風量を決定し室内の隙間面積に関係なく一定量の外気を室内に導入することとなるので効率的に建物の排熱ができ、冬期、中間期等の建物に熱気がこもらない時期においても通常の換気装置４として使用できるとともに冬期は弱運転で換気風量を少なくし省エネが図れるとともに外気導入によるコールドドラフトを低減することができるという効果を奏する。
【００３３】
また、複数の給気経路より複数の部屋に外気が導入されることとなるので、熱がこもりやすい最上階全体の部屋に別途換気装置を設置することなく効率の良い排熱、換気をすることができるという効果を奏する。
【００３４】
また、換気装置４のモーターをＤＣモーターとすることにより、ファンの回転数を細かく制御できるので、各建物の換気ダクト２の長さや吹き出しグリル３等に起因する圧力損失条件に関係なく風量を一定にすることができ、また、換気装置４の消費電力を低減することができるという効果を奏する。
【００３５】
また、排熱、換気する床面積に応じて強、中、弱運転の設定風量を変更できるスイッチを設けているので、色々な床面積の建物に対応できるという効果を奏する。
【００３６】
また、換気ダクト２を断熱、消音性の高いダクトにすることにより、冬期換気時、低温外気が換気ダクト２内を通過しても換気ダクト外側の表面は断熱され天井裏の周囲温度となるため、換気ダクト２の表面の結露を防止できるとともに、換気ダクト２を介して室内に伝搬される換気装置４の送風音を低減できるという効果を奏する。
【００３７】
また、吹き出しグリルの風量調整板により吹き出し面積を変更できるため各部屋の風量配分を容易に変更できるという効果を奏する。
【００３８】
また、吹き出しグリル３の可動式ルーバー１０により吹き出し方向を変更できるため、直接人の体に吹き出し空気が当たるような場合にでも容易に吹き出し方向を変更できるという効果を奏する。
【００３９】
また、室外温度検知手段７は屋外近傍の換気ダクト２の内側に設置され、換気装置４が導入する外気の温度を日光や風雨等の天候状態に影響されることなく検知することとなるので、建物の設置状況や天候状況に影響されることなく室外温度を計測できるとともに建物構造に左右されずに室外温度検知手段７を簡単に設置することができるという効果を奏する。
【００４０】
（実施の形態２）
図３に示すように、運転モードとしてあらかじめ設定した設定室外温度Ｔｏ（例えば、１０℃）により冬期モードあるいは中間期・夏期モードとに切り替え、あらかじめ設定した設定室内温度Ｔｉ（例えば、３０℃）と室内温度検知手段６および室外温度検知手段７により計測された室内温度と室外温度から演算される室内外温度差により中間期・夏期モードと排熱モードを切り替える。
【００４１】
このような構成によれば、設定室外温度Ｔｏより低い場合は冬期、高い場合は中間期・夏期と判断し、室内温度が設定室内温度Ｔｉより高くかつ室内温度から室外温度を引き算した室内外温度差が設定室内外温度差Ｔａ（例えば、１℃）より大きい場合は排熱モードで運転することとなるので、自動で運転モードを選択し最適な排熱または換気をすることができるという効果を奏する。
【００４２】
また、運転モードを選択する設定室外温度Ｔｏあるいは設定室内温度Ｔｉあるいは設定室内外温度差Ｔａの設定をコントローラで変更できるという構成にしてもよい。
【００４３】
このような構成によれば、コントローラで運転モードの切り替えを選定する設定室外温度Ｔｏあるいは設定室内温度Ｔｉあるいは設定内外温度差Ｔａの設定を変更できることとなるので、地域、温度設定の好みにより運転モードの切り替えタイミングを変更し効率の良い排熱をすることができるという効果を奏する。
【００４４】
また、コントローラ５に換気装置４の運転の切りや入りの時間を設定できるタイマーを設けた構成にしてもよい。
【００４５】
このような構成によれば、コントローラ５に運転切と運転入の時間を設定するとその時間には強制的に運転の入りや切り（停止）をすることとなるので、就寝時等の換気装置の騒音が気になる場合は強制的に換気装置の運転を自動停止することができ不快感を低減することができるという効果を奏する。
【産業上の利用可能性】
【００４６】
本発明にかかる排熱システム装置は、建物の最上階の外気以上に高温となった空気を外気導入により効率的に排出し室温を下げることを可能とするものであるので、ダクトを介して複数の居室の換気を行う排熱システムに等として有用である。
【符号の説明】
【００４７】
１  室内
２  換気ダクト
３  吹き出しグリル
４  換気装置
５  コントローラ
６  室内温度検知手段
７  室外温度検知手段
８  開口部分
９  風量調整板
１０  可動式ルーバー
Ｔｏ  設定室外温度
Ｔｉ  設定室内温度
Ｔａ  設定室内外温度差
【図１】
2014181853.tif 000003
【図２】
2014181853.tif 000004
【図３】
2014181853.tif 000005
【図４】
2014181853.tif 000006
【図５】
2014181853.tif 000007